【手続補正書】
【提出日】平成22年8月26日(2010.8.26)
【手続補正１】
【補正対象書類名】特許請求の範囲
【補正対象項目名】全文
【補正方法】変更
【補正の内容】
【特許請求の範囲】
【請求項１】
シークイン連結体を所定の切断位置に向けて送り出すためのシークイン送り機構と、前記所定の切断位置に配置されたシークイン切断用のカッター部とをそれぞれ含む少なくとも２つのシークイン送りユニットと、
前記少なくとも２つのシークイン送りユニットのうち１つのユニットを選択して所定の縫い動作位置に位置決めするシークイン選択機構と、
前記所定の縫い動作位置に位置決めされた前記１つのシークイン送りユニットの前記シークイン送り機構に係合して、縫い動作に応じて該係合したシークイン送り機構を駆動し、前記シークイン連結体を所定の切断位置に向けて送り出す駆動機構と
を備え、
前記各シークイン送りユニットは、それぞれの前記所定の切断位置を他のユニットとは独立に調整可能であり、
縫い動作に応じて前記カッター部を駆動し、前記所定の切断位置に送り出された前記シークイン連結体からシークインを切断することを特徴とするシークイン送り装置。
【請求項２】
前記各シークイン送りユニットは、縫い針の位置に対するそれぞれの前記カッター部の位置を、それぞれ他のユニットとは独立に調整する調整機構を含む請求項１に記載のシークイン送り装置。
【請求項３】
前記調整機構は、対応するシークイン送りユニット全体を直線変位させることで前記カッター部による前記切断位置を調整することを特徴とする請求項２に記載のシークイン送り装置。
【請求項４】
前記各シークイン送りユニットは、送り出されるシークイン連結体を支持する支承板を含み、前記カッター部は該支承板の先端に設けられており、
前記調整機構は、前記支承板を直線変位させることで前記カッター部による前記切断位置を調整することを特徴とする請求項２に記載のシークイン送り装置。
【請求項５】
前記調整機構は、対応するシークイン送りユニット全体を直線変位させるための機構を含む請求項３に記載のシークイン送り装置。
【請求項６】
対応するシークイン送りユニット全体を直線変位させるための前記機構は、調整ネジの回転をシークイン送りユニットの直線変位に変換する機構を含む請求項５に記載のシークイン送り装置。
【請求項７】
前記調整機構は、対応する前記支承板を直線変位させるための機構を含む請求項４に記載のシークイン送り装置。
【請求項８】
対応する前記支承板を直線変位させるための前記機構は、調整ネジの回転を前記支承板の直線変位に変換する機構を含む請求項７に記載のシークイン送り装置。
【請求項９】
前記各シークイン送りユニットの前記カッター部は、それぞれ独立に固定刃と可動刃を含む請求項１〜８のいずれかに記載のシークイン送り装置。
【請求項１０】
前記各シークイン送りユニットの前記シークイン送り機構は、それぞれ独立にシークイン送り量の設定が可能であることを特徴とする請求項１〜８のいずれかに記載のシークイン送り装置。
【請求項１１】
前記駆動機構は、前記所定の縫い動作位置に現在位置決めされている前記１つのシークイン送りユニットの前記シークイン送り機構で設定されたシークイン送り量に対応する駆動量で該シークイン送り機構を駆動することを特徴とする請求項１０に記載のシークイン送り装置。
【請求項１２】
前記少なくとも２つのシークイン送りユニットは一体的にスライド可能に並んで配置されており、
前記シークイン選択機構は、前記少なくとも２つのシークイン送りユニットを一体的にスライドすることで、そのうち１つのユニットを所定の縫い動作位置に位置決めすることを特徴とする請求項１〜８のいずれかに記載のシークイン送り装置。
【請求項１３】
前記駆動機構は、
前記所定の縫い動作位置に位置決めされた前記１つのシークイン送りユニットの前記シークイン送り機構に係合する係合部と、
縫い動作に連動して駆動されるモータと、
前記モータの動きを前記係合部に伝達するリンク機構と
を含み、前記モータの動きに応じて、前記リンク機構及び係合部を介して、前記所定の縫い動作位置に位置決めされた前記１つのシークイン送りユニットの前記シークイン送り機構が動かされ、該シークイン送り機構の動きにより前記シークイン連結体を所定の切断位置に向けて送り出すことを特徴とする請求項１〜８のいずれかに記載のシークイン送り装置。
【請求項１４】
前記所定の縫い動作位置に位置決めされた前記１つのシークイン送りユニットの前記カッター部が縫い動作時の針棒の動きに応じて駆動され、前記シークイン連結体からシークインを切断することを特徴とする請求項１〜８のいずれかに記載のシークイン送り装置。
【請求項１５】
供給源から前記シークイン送りユニットに供給されるシークイン連結体の供給が途切れたか否かを検出するための検出装置を更に備えた請求項１に記載のシークイン送り装置。
【請求項１６】
前記各シークイン送りユニットは、前記シークイン選択機構のベース部に対してそれぞれ着脱自在に取り付けられることを特徴とする請求項１に記載のシークイン送り装置。
【請求項１７】
前記各シークイン送りユニットは、上糸が前記カッター部に入り込まないように案内するガイド部材を備えることを特徴とする請求項１乃至１６のいずれかに記載のシークイン送り装置。
【請求項１８】
請求項１乃至１７のいずれかに記載のシークイン送り装置を縫いヘッドに対応づけて具備するミシン。
【請求項１９】
前記少なくとも２つのシークイン送りユニットには、少なくとも２種類の異なるシークイン連結体が供給源からそれぞれ供給されるようになっており、
少なくとも２種類のシークインを組み合わせて使用する所望のシークイン模様の縫いパターンデータに基づき、縫いに使用するシークインを切り換えるべき縫い位置で前記シークイン選択機構を制御して前記少なくとも２つのシークイン送りユニットのいずれか１つを選択し、該選択されたシークイン送りユニットを使用してシークイン縫いが行われるよう制御する制御装置、
を更に備えたことを特徴とする請求項１８に記載のミシン。
【請求項２０】
前記所望のシークイン模様は、前記少なくとも２種類のシークインを交互に選択して縫い付ける模様からなる請求項１９に記載のミシン。
【請求項２１】
前記所望のシークイン模様は、前記少なくとも２種類のシークインを交互に選択して両者を重ねて縫い付ける模様からなる請求項１９に記載のミシン。
【請求項２２】
シークイン連結体を所定の切断位置に向けて送り出すためのシークイン送り機構と、前記所定の切断位置に配置されたシークイン切断用のカッター部とを含むシークイン送りユニットと、
縫い動作に応じて前記シークイン送り機構を駆動し、前記シークイン連結体を所定の切断位置に向けて送り出す駆動機構と
を備え、縫い動作に応じて前記カッター部を駆動し、前記所定の切断位置に送り出された前記シークイン連結体からシークインを切断するシークイン送り装置において、
供給源と前記シークイン送りユニットとの間に設けられ、第１の位置と第２の位置との間で変位する変位部材と、前記第１の位置は、前記変位部材が前記供給源から前記シークイン送りユニットに供給されるシークイン連結体に当接して止まっている位置であり、前記第２の位置は、前記シークイン連結体が存在しないことにより前記変位部材がシークイン連結体に当接することなく前記第１の位置を通り越した位置である、
前記変位部材が前記第１の位置から第２の位置に変化したことを検出する検出器と、
を備え、前記検出器の出力に基づきシークイン連結体の供給が途切れたことを検出することを特徴とするシークイン送り装置。
【請求項２３】
前記シークイン送りユニットは、上糸が前記カッター部に入り込まないように案内するガイド部材を備えることを特徴とする請求項２２に記載のシークイン送り装置。